(57)【要約】【課題】通信品質の低下を抑制することである。【解決手段】フェムト基地局１０は、測定情報収集部１２とＨＯ先セル判定部１４とＨＯ制御部１５とを有する。測定情報収集部１２は、移動局における無線通信品質の測定情報を取得する。ＨＯ先セル判定部１４は、測定情報収集部１２により取得された測定情報と、集中制御局から指示されたハンドオーバ先のセルの優先度を制御する情報とを用いて、移動局をハンドオーバさせるセルを判定する。ＨＯ制御部１５は、ＨＯ先セル判定部１４により判定されたセルへ、移動局をハンドオーバさせる。【選択図】図１
2015139122.tif 000002
【特許請求の範囲】
【請求項１】
移動局における無線通信品質の測定情報を取得する取得部と、
前記取得部により取得された測定情報と、制御局から指示されたハンドオーバ先のセルの優先度を制御する情報とを用いて、前記移動局をハンドオーバさせるセルを判定する判定部と、
前記判定部により判定されたセルへ、前記移動局をハンドオーバさせる制御部と
を有することを特徴とする基地局。
【請求項２】
前記判定部は、前記移動局のハンドオーバ元のセルに関する前記測定情報と、前記ハンドオーバ先のセルに関する前記測定情報と、前記ハンドオーバ元のセル及び前記ハンドオーバ先のセル以外のセルの内、前記無線通信品質が最も良好なセルに関する測定情報と、前記優先度を制御する情報とを用いて、前記移動局をハンドオーバさせるセルを判定することを特徴とする請求項１に記載の基地局。
【請求項３】
前記移動局の移動度に応じて、前記優先度を制御する情報を変更する変更部を更に有することを特徴とする請求項１に記載の基地局。
【請求項４】
前記制御部により前記移動局をハンドオーバさせたセルを、前記制御局に通知する通知部を更に有することを特徴とする請求項１に記載の基地局。
【請求項５】
基地局が、
移動局における無線通信品質の測定情報を取得し、
取得された測定情報と、制御局から指示されたハンドオーバ先のセルの優先度を制御する情報とを用いて、前記移動局をハンドオーバさせるセルを判定し、
判定されたセルへ、前記移動局をハンドオーバさせる
ことを特徴とする基地局制御方法。
【発明の詳細な説明】
【技術分野】
【０００１】
本発明は、基地局、及び基地局制御方法に関する。
【背景技術】
【０００２】
従来、移動通信システムでは、複数の基地局を配置する場合、各基地局の形成するセルの境界付近において、移動局の受信レベルが低下することがある。また、複数の基地局を有するエリア内において、移動局の分布に偏りがある場合、特定の基地局に負荷が集中し、該基地局に接続する移動局のスループットが低下することがある。この様な受信レベルやスループットの低下は、例えば、セルの端部に位置する移動局の通信品質を低下させる要因となる。
【０００３】
上述した問題点に対する対策として、移動通信システム内に、上記複数の基地局を制御する集中制御局を配置し、該集中制御局が、移動局の分布に応じて、各基地局の送信電力と各移動局の接続先の基地局とを最適化することで、上記通信品質を改善する方法がある。かかる方法では、まず、集中制御局は、配下の基地局に接続する移動局から、測定情報（例えば、ＲＳＲＰ（Reference  Signal  Received  Power））を収集し、該測定情報を基に、基地局と移動局との間のパスロスを算出する。次に、集中制御局は、セル端部の通信品質等の指標値が最大となる様な送信電力値と接続相手の移動局とを求め、各基地局に通知する。そして、各基地局は、該通知に従い、自局の送信電力を変更すると共に、必要に応じて、各移動局の接続先となる基地局を変更（ハンドオーバ：ＨＯ（Hand  Over））する。
【０００４】
上記ハンドオーバには、以下に説明する２種類のハンドオーバがある。第１のハンドオーバは、移動局を起点とするハンドオーバ（以下、「通常ハンドオーバ」と記す。）である。通常ハンドオーバでは、移動局は、受信レベルの低下等により所定のトリガ条件を満たす場合、上記測定情報を基地局に報告する。基地局は、報告された該測定情報を基に、ハンドオーバ先の基地局を決定し、該基地局へ、移動局をハンドオーバさせる。
【０００５】
これに対し、第２のハンドオーバは、基地局を起点とするハンドオーバ（以下、「強制ハンドオーバ」と記す。）である。強制ハンドオーバでは、基地局は、所定のトリガ条件を満たすか否かに拘らず、集中制御局から指示された基地局へ、移動局を強制的にハンドオーバさせる。
【先行技術文献】
【特許文献】
【０００６】
【特許文献１】特開２０１２−１００２２０号公報
【特許文献２】特開２０１１−３５７６３号公報
【非特許文献】
【０００７】
【非特許文献１】小林崇春、木村大、関宏之、「フェムトセルネットワークにおける下り送信電力制御の一検討」、電子情報通信学会通信ソサイエティ大会、株式会社富士通研究所、2011年9月13日〜9月16日、p.430
【発明の概要】
【発明が解決しようとする課題】
【０００８】
しかしながら、上述したハンドオーバには、それぞれ以下の様な問題点が存在する。
【０００９】
まず、通常ハンドオーバでは、上記所定のトリガ条件が満たされない限り、移動局は、ハンドオーバ処理を実行しない。このため、上述した最適化の精度が低下し、通信品質が低下することがある。以下、図８を参照して詳細に説明する。図８は、通常ハンドオーバにおける従来技術の問題点を説明するための図である。図８では、集中制御局が、最適化のため、ハンドオーバ元の基地局１００の送信電力を減少させ、ハンドオーバ先の基地局２００の送信電力を増加させた場合を想定する。これにより、基地局１００の形成するセルＣ１００が縮小し、基地局２００の形成するセルＣ２００が拡大するため、基地局１００に接続する４台の移動局の内、セル端部の移動局Ｕ２００が、基地局２００に接続（ハンドオーバ）する。
【００１０】
ところが、移動局の接続先を受信電力最大の基地局とする想定で最適化を行うと、移動局Ｕ１００のように、各基地局１００、２００からの受信レベルの差が極めて小さい場合、所定のトリガ条件（例えば、ＲＳＲＰ２００＞ＲＳＲＰ１００＋オフセット値）を満たさない。このため、移動局Ｕ１００は、セルＣ１００、Ｃ２００の端部に位置するにも拘らず、集中制御局の指示するハンドオーバ先である基地局２００に接続されることはない。すなわち、移動局Ｕ１００は、負荷分散の観点から、本来基地局２００にハンドオーバするのが望ましいにも拘らず、基地局１００に残留することとなる。しかしながら、当該トリガ条件を考慮した最適化を行うと、各基地局１００、２００からの受信レベルの差がオフセット値以上となる場合にしかハンドオーバが実行されないため、制御の分解能が低下してしまう。これらのことが、通常ハンドオーバにおける最適化の精度、ひいては通信品質の低下を招く一因となる。
【００１１】
一方、強制ハンドオーバでは、移動局の移動等に起因する通信状況の変化に拘らず、基地局は、強制的にハンドオーバ処理を実行する。このため、集中制御局の指示する基地局へのハンドオーバが適切でなくなった場合にも、ハンドオーバが行われ、その結果、反対に通信品質が低下することがある。以下、図９を参照して詳細に説明する。図９は、強制ハンドオーバにおける従来技術の問題点を説明するための図である。図９では、集中制御局が、移動局Ｕ３００から測定情報を収集し、基地局３００、４００、５００に対し、ハンドオーバ先の基地局を指示するまでの間に、移動局Ｕ３００が、移動した場合を想定する。
【００１２】
強制ハンドオーバでは、ハンドオーバ実行時の通信状況に拘らず、移動局Ｕ３００は、例えば、セルＣ４００を形成する基地局４００にハンドオーバする。ところが、移動局Ｕ３００が、矢印Ｙ１またはＹ２の方向へ移動すると、この移動に伴い、セルＣ３００、Ｃ５００の受信レベルが、セルＣ４００の受信レベルよりも高くなる。このため、移動局Ｕ３００は、従前よりも受信レベルの低いセルＣ４００を形成する基地局４００へハンドオーバすることとなり、却って、通信品質を低下させることとなる。
【００１３】
なお、通常ハンドオーバでは、ハンドオーバ実行時の通信状況を考慮したハンドオーバが可能であるが、上述した様に、移動局は、上記所定のトリガ条件を満たさない限り、ハンドオーバ処理を実行しない。
【００１４】
上述した様に、通常ハンドオーバ、強制ハンドオーバの何れにおいても、移動局が、適切な基地局にハンドオーバしない、あるいは、適切でない基地局にハンドオーバしてしまうことがある。その結果、基地局と移動局間の通信品質が低下してしまうことがある。
【００１５】
開示の技術は、上記に鑑みてなされたものであって、通信品質の低下を抑制することのできる基地局、及び基地局制御方法を提供することを目的とする。
【課題を解決するための手段】
【００１６】
上述した課題を解決し、目的を達成するために、本願の開示する基地局は、一つの態様において、取得部と判定部と制御部とを有する。前記取得部は、移動局における無線通信品質の測定情報を取得する。前記判定部は、前記取得部により取得された測定情報と、集中制御局から指示されたハンドオーバ先のセルの優先度を制御する情報とを用いて、前記移動局をハンドオーバさせるセルを判定する。前記制御部は、前記判定部により判定されたセルへ、前記移動局をハンドオーバさせる。
【発明の効果】
【００１７】
本願の開示する基地局の一つの態様によれば、通信品質の低下を抑制することができる。
【図面の簡単な説明】
【００１８】
【図１】図１は、フェムト基地局の機能構成を示す図である。
【図２】図２は、フェムト基地局のハードウェア構成を示す図である。
【図３】図３は、セル境界制御処理を説明するためのフローチャートである。
【図４】図４は、フェムト基地局がＨＯ対象移動局のハンドオーバ先セルを判定する処理を説明するための図である。
【図５】図５は、フェムト基地局が閾値を最適値に調整する処理を説明するためのフローチャートである。
【図６】図６は、セル境界制御方法調整処理を説明するためのフローチャートである。
【図７】図７は、ＨＯ対象移動局の移動度に応じて、セルに対する境界制御方法が調整される様子を示す図である。
【図８】図８は、通常ハンドオーバにおける従来技術の問題点を説明するための図である。
【図９】図９は、強制ハンドオーバにおける従来技術の問題点を説明するための図である。
【発明を実施するための形態】
【００１９】
以下に、本願の開示する基地局、及び基地局制御方法の実施例を、図面を参照しながら詳細に説明する。なお、以下の実施例により本願の開示する基地局、及び基地局制御方法が限定されるものではない。
【００２０】
まず、本願の開示する一実施例に係るフェムト基地局の構成を説明する。図１は、フェムト基地局１０の機能構成を示す図である。図１に示す様に、フェムト基地局１０は、電力制御部１１と測定情報収集部１２と閾値α格納部１３とＨＯ先セル判定部１４とＨＯ制御部１５と閾値α調整部１６とＨＯ先通知部１７とを有する。これら各構成部分は、一方向又は双方向に、信号やデータの入出力が可能な様に接続されている。
【００２１】
電力制御部１１は、フェムト基地局１０の送信電力を、集中制御局から通知された最適値に変更する。また、電力制御部１１は、ＨＯ先として指示されたセル以外のセルへのハンドオーバ数が所定値以上であるか否かに応じて、フェムト基地局１０の送信電力を、固定または変動させる制御を行う。
【００２２】
測定情報収集部１２は、フェムト基地局１０に接続する各移動局の測定したＲＳＲＰ等の測定情報を、各移動局から収集する。例えば、測定情報収集部１２は、ＨＯ（Hand  Over）対象移動局のハンドオーバ元のセルに関する測定情報と、指示されたハンドオーバ先のセルに関する測定情報と、これらのセル以外のセルの内、無線通信品質が最も良好なセルに関する測定情報とを、ＨＯ対象移動局から取得する。ここで、ＨＯ対象移動局とは、ＨＯ先セル判定部１４による判定対象の移動局、すなわち、ハンドオーバ先の基地局の形成するセル（以下、単に「ハンドオーバ先のセル」と記す。）の判定対象となる移動局である。
【００２３】
閾値α格納部１３は、集中制御局からハンドオーバ先として指示されたセルの優先度を制御するための閾値αを格納する。なお、閾値αの詳細については後述する。ＨＯ先セル判定部１４は、測定情報収集部１２により取得された上記測定情報と、閾値α格納部１３に格納された閾値αとを用いて、ＨＯ対象移動局のハンドオーバ先のセルを判定する。ＨＯ制御部１５は、ＨＯ先セル判定部１４による判定結果に基づき、ＨＯ対象移動局をハンドオーバ先のセルへハンドオーバさせる制御を行う。
【００２４】
閾値α調整部１６は、ＨＯ対象移動局の移動度（例えば、移動速度、移動する端末の多さ（頻度）等）に応じて、閾値αを適応的に変更する。例えば、閾値α調整部１６は、フェムト基地局１０に接続する移動局の平均移動度が上昇する程、閾値αを減少させる。ＨＯ先通知部１７は、ＨＯ制御部１５によるＨＯ対象移動局のハンドオーバ後に、ＨＯ対象移動局を実際にハンドオーバさせたセルを、集中制御局に通知する。
【００２５】
図２は、フェムト基地局１０のハードウェア構成を示す図である。図２に示す様に、フェムト基地局１０は、ハードウェアの構成要素として、ＤＳＰ（Digital  Signal  Processor）１０ａと、ＦＰＧＡ（Field  Programmable  Gate  Array）１０ｂと、メモリ１０ｃと、ＲＦ（Radio  Frequency）部１０ｄと、ネットワークＩＦ（Inter  Face）部１０ｅとを有する。ＤＳＰ１０ａとＦＰＧＡ１０ｂとは、スイッチ等のネットワークＩＦ部１０ｅを介して、各種信号やデータの入出力が可能な様に接続されている。ＲＦ部１０ｄは、アンテナＡを有する。メモリ１０ｃは、例えば、ＳＤＲＡＭ（Synchronous  Dynamic  Random  Access  Memory）等のＲＡＭ、ＲＯＭ（Read  Only  Memory)、フラッシュメモリにより構成される。
【００２６】
また、機能構成とハードウェア構成との対応関係に関し、電力制御部１１と測定情報収集部１２とＨＯ先セル判定部１４とＨＯ制御部１５と閾値α調整部１６とは、例えばＤＳＰ１０ａ、ＦＰＧＡ１０ｂ等の集積回路により実現される。閾値α格納部１３は、例えばメモリ１０ｃにより実現される。ＨＯ先通知部１７は、例えばＲＦ部１０ｄにより実現される。
【００２７】
次に、動作を説明する。
【００２８】
図３は、セル境界制御処理を説明するためのフローチャートである。まずＳ１では、集中制御局は、自局配下の各フェムト基地局に接続する移動局から測定情報を収集する。Ｓ２では、集中制御局は、Ｓ１で収集された測定情報を用いて、各フェムト基地局の送信電力の最適値と、各移動局にとって最適な接続先となるフェムト基地局とを算定する。Ｓ３では、集中制御局は、自局配下の各フェムト基地局に対し、算定された送信電力値と上記接続先となるフェムト基地局とを通知する。
【００２９】
以下、上記通知を受けた複数のフェムト基地局の内、フェムト基地局１０を例に採り、フェムト基地局１０の動作を説明する。まずＳ４では、上記通知を受けたフェムト基地局１０の電力制御部１１は、自局の送信電力を、集中制御局から通知された最適値に変更する。次に、フェムト基地局１０の測定情報収集部１２は、自局の形成するセルＣ１０内のＨＯ対象移動局から、該移動局の下り方向の測定情報を再収集し、通信状況を確認する（Ｓ５）。
【００３０】
上記Ｓ５において、フェムト基地局１０がＨＯ対象移動局に測定情報の報告を指示する方法としては、例えば、移動局が測定情報の報告を行うトリガ条件を緩和する方法がある。かかる方法は、フェムト基地局１０の測定情報収集部１２が、上記トリガ条件を設定するための各種パラメータ（例えば、オフセット値、閾値）を、ＨＯ対象移動局についてのみ一時的に変更することにより実現される。より具体的には、例えばＬＴＥ（Long  Term  Evolution）の場合、測定を開始するためのイベントの１つであるイベントＡ１では、移動局は、自セルからのＲＳＲＰが閾値以上となった時に測定を開始する。従って、フェムト基地局１０の測定情報収集部１２は、上記閾値を一時的に最小値に設定することで、任意のタイミングで、ＨＯ対象移動局から測定情報を取得することができる。あるいは、イベントＡ３の場合、フェムト基地局１０は、上記トリガ条件である「隣接セルからのＲＳＲＰ値＞自セルからのＲＳＲＰ値＋オフセット値」におけるオフセット値を、最小値に設定することによっても、ＨＯ対象移動局から測定情報を取得することができる。更に、イベントＡ４の場合、フェムト基地局１０は、上記トリガ条件である「隣接セルからのＲＳＲＰ値＞閾値」における閾値を、最小値に設定することにより、ＨＯ対象移動局から測定情報を取得することができる。なお、上記オフセット値は、例えば３ｄＢである。
【００３１】
Ｓ６では、フェムト基地局１０のＨＯ先セル判定部１４は、Ｓ５で収集された上記測定情報と、集中制御局からハンドオーバ先として指示されたセルの優先度を制御するための閾値αとを基に、ＨＯ対象移動局のハンドオーバ先セルを判定する。
【００３２】
以下、図４を参照し、上記Ｓ６におけるセル判定方法について、詳細に説明する。図４は、フェムト基地局１０がＨＯ対象移動局のハンドオーバ先セルを判定する処理を説明するための図である。図４では、移動局Ｕ１の接続しているフェムト基地局１０の形成するセルを「ＨＯ元セルＣ１０」と記す。また、フェムト基地局１０と同様の構成を有するフェムト基地局２０により形成され、かつ、集中制御局からハンドオーバ先として指示されたセルを「ＨＯ先指示セルＣ２０」と記す。更に、フェムト基地局１０と同様の構成を有するフェムト基地局３０により形成され、かつ、セルＣ１０、Ｃ２０以外のセルの内、移動局Ｕ１におけるＲＳＲＰ値が最も高いセルを「他セルＣ３０」と記す。なお、移動局Ｕ２は、移動局Ｕ１と同様の構成を有する。
【００３３】
フェムト基地局１０のＨＯ先セル判定部１４は、上記Ｓ６において、ＨＯ先指示セルＣ２０からのＲＳＲＰＣ２０に対してのみ閾値αを加算した上で、ＨＯ元セルＣ１０からのＲＳＲＰＣ１０及び他セルＣ３０からのＲＳＲＰＣ３０と比較する。具体的には、条件（１）である「ＲＳＲＰＣ１０＞ＲＳＲＰＣ２０＋α」を満たす場合には、ＨＯ先セル判定部１４は、集中制御局からの指示ではなく、移動局Ｕ１の現在の通信状況に基づいて接続先セルを選択する方が、通信品質の良好なセルに在圏可能であると判断する。従って、上記条件（１）を満たす場合には、ＨＯ先セル判定部１４は、ＨＯ対象移動局である移動局Ｕ１のハンドオーバ先セルとして、よりＲＳＲＰの高い「ＨＯ元セルＣ１０」を選択する。その結果、移動局Ｕ１は、ハンドオーバすることなく、ＨＯ元セルＣ１０に残留する。
【００３４】
同様に、条件（２）である「ＲＳＲＰＣ３０＞ＲＳＲＰＣ２０＋α」を満たす場合には、ＨＯ先セル判定部１４は、集中制御局からの指示ではなく、移動局Ｕ１の現在の通信状況に基づいて接続先セルを選択する方が、通信品質の良好なセルに在圏可能であると判断する。従って、上記条件（２）を満たす場合には、ＨＯ先セル判定部１４は、ＨＯ対象移動局である移動局Ｕ１のハンドオーバ先セルとして、よりＲＳＲＰの高い「他セルＣ３０」を選択する。その結果、移動局Ｕ１は、ＨＯ元セルＣ１０から他セルＣ３０へハンドオーバする。
【００３５】
これに対し、上記条件（１）（２）の何れも満たさない場合には、ＨＯ先セル判定部１４は、集中制御局からの指示に従って接続先セルを選択する方が、通信品質の良好なセルに在圏可能であると判断する。従って、上記何れの条件も満たさない場合には、ＨＯ先セル判定部１４は、ＨＯ対象移動局である移動局Ｕ１のハンドオーバ先セルとして、「ＨＯ先指示セルＣ２０」を選択する。その結果、移動局Ｕ１は、ＨＯ元セルＣ１０からＨＯ先指示セルＣ２０へハンドオーバする。
【００３６】
例えば、図４に示す例では、移動局Ｕ１は、閾値αによって集中制御局の指示が優先される領域Ｒ１（網掛け部分）の外側に移動している。従って、フェムト基地局１０のＨＯ先セル判定部１４は、移動局Ｕ１をＨＯ先指示セルＣ２０へ強制的にハンドオーバさせるよりは、ハンドオーバを実行せずに、従前のＨＯ元セルＣ１０のフェムト基地局１０との接続を継続させる方が、通信品質の観点から有効であると判定する。
【００３７】
図３に戻り、Ｓ７では、フェムト基地局１０のＨＯ制御部１５は、Ｓ６において最適なハンドオーバ先として選択されたセルへ、ＨＯ対象移動局（例えば、図４の移動局Ｕ１）をハンドオーバさせる。なお、該ハンドオーバは、ハンドオーバ元の自セルＣ１０へのハンドオーバ（ハンドオーバしない場合）を含む。
【００３８】
ここで、閾値αは、例えば、フェムト基地局１０の運用開始前にセル設計を行う際に設定されるプリセット値である。閾値αは、フェムト基地局１０の形成するセルサイズ、平均的な接続移動局数、接続移動局の移動度、接続移動局の分布等に応じて異なる値に設定可能であるが、例えば、３〜６ｄＢ程度である。しかしながら、閾値αは、必ずしも固定値でなくてもよい。すなわち、フェムト基地局１０は、例えば、フェムト基地局１０に接続する移動局の移動度に応じて、閾値αを適応的に調整するものとしてもよい。例えば、フェムト基地局１０の閾値α調整部１６は、フェムト基地局１０に接続する移動局の平均移動度が上昇する程、閾値αを小さくしてＨＯ先指示セルＣ２０へのハンドオーバを抑制し、平均移動度が低下する程、閾値αを大きくしてＨＯ先指示セルＣ２０へのハンドオーバを促すものとしてもよい。
【００３９】
また、閾値αと通常ハンドオーバ及び強制ハンドオーバとの間には、閾値α＝０の場合には、上述した通常ハンドオーバと同等の動作が実行される一方、閾値α＝∞の場合には、上述した強制ハンドオーバと同等の動作が実行される、という関係がある。このため、フェムト基地局１０は、上記閾値αを適宜調整することにより、通常ハンドオーバと強制ハンドオーバとの間の中間的な動作が可能となる。
【００４０】
図５は、フェムト基地局１０が閾値αを最適値に調整する処理を説明するためのフローチャートである。まずＳ１１では、フェムト基地局１０の閾値α調整部１６は、閾値αを最大値（∞）に設定する。これにより、強制ハンドオーバによるセル境界制御処理が実行される。次に、閾値α調整部１６は、図３に示したセル境界制御処理の実行後にＨＯ対象移動局Ｕ１が他のセルに新たにハンドオーバする件数を算出する（Ｓ１２）。なお、算出される件数は、例えば、所定時間当たりの件数、所定移動局数当たりの件数（割合）、所定エリア当たりの件数、あるいはこれらの件数の組合せである。
【００４１】
Ｓ１３では、閾値α調整部１６は、Ｓ１２にて算出された件数が所定値以下であるか否かを判定する。該判定の結果、上記件数≦所定値である場合（Ｓ１３；Ｙｅｓ）、閾値α調整部１６は、閾値αを所定のステップサイズ△１だけ増加させる（Ｓ１４）。Ｓ１５では、閾値α調整部１６は、上記Ｓ１４における増加の結果、特性の改善がみられない場合（Ｓ１５；Ｙｅｓ）には、一連の処理を終了する。一方、特性の改善がみられる場合（Ｓ１５；Ｎｏ）には、上記Ｓ１２に戻り、閾値α調整部１６は、Ｓ１２以降の処理を再び実行する。
【００４２】
なお、上記特性は、セル境界制御処理による最適化の精度を示す指標であり、例えば、制御処理の前後において、スループットや通信品質の値が上昇した場合には、閾値α調整部１６は、特性の改善が有ったものと判定する。
【００４３】
上記Ｓ１３における判定の結果、上記件数＞所定値である場合（Ｓ１３；Ｎｏ）、閾値α調整部１６は、閾値αを所定のステップサイズ△２だけ減少させる（Ｓ１６）。なお、ステップサイズ△２は、上記ステップサイズ△１と同一の値であってもよい。上記Ｓ１６の処理終了後は、上記Ｓ１２に戻り、閾値α調整部１６は、Ｓ１２以降の処理を再び実行する。
【００４４】
移動する移動局数が多い環境では、強制ハンドオーバによって、最適でないセルにハンドオーバしてしまうＨＯ対象移動局が増加する。これらのＨＯ対象移動局は、上記セル境界制御処理の直後に、強制ハンドオーバ先のセルよりも通信品質の良い他のセルに更にハンドオーバ（修正ハンドオーバ）しようとする。そこで、フェムト基地局１０は、該ハンドオーバの件数の大小を基に、閾値αが最適値に近いか否かを推定することができる。すなわち、フェムト基地局１０は、修正ハンドオーバの件数が所定値以下となる様に、閾値αを所定のステップサイズ△２ずつ減少させる。ところが、閾値αを小さい値にし過ぎると、セル境界制御処理による特性の改善度が低下してしまう。このため、フェムト基地局１０は、更なる特性改善が得られない状態となるまで、反対に、閾値αを所定のステップサイズ△１ずつ増加させる。その結果、閾値αは、最適値に調整される。
【００４５】
続いて、図６、図７を参照し、ハンドオーバの実行後に、指示されたハンドオーバ先セルへのハンドオーバ実現率に応じて、セル境界制御方法を調整する処理について説明する。図６は、セル境界制御方法調整処理を説明するためのフローチャートである。まずＳ２１では、フェムト基地局１０のＨＯ先通知部１７は、ＨＯ対象移動局の実際のハンドオーバ先セルを、集中制御局に通知する。次に、該通知を受けた集中制御局は、ハンドオーバ先として指示したセルとは異なるセルへのハンドオーバが発生した件数を、セル毎に算出する（Ｓ２２）。なお、算出される件数は、例えば、所定時間当たりの件数、所定移動局数当たりの件数（割合）、あるいはこれらの件数の組合せである。
【００４６】
Ｓ２３では、集中制御局は、Ｓ２２で算出された件数が所定値以上のセルの送信電力を固定値に設定する。例えば、フェムト基地局１０の形成するセルＣ１０からＨＯ先指示セルＣ２０以外のセルへのハンドオーバ数（ハンドオーバしない場合を含む）が所定値以上である場合には、集中制御局は、フェムト基地局１０の送信電力を固定値に設定する指示を、フェムト基地局１０に対して行う。
【００４７】
併せて、集中制御局は、Ｓ２２で算出された件数が所定値以上のセルの送信電力を固定電力に設定するという拘束条件の下で、対象エリア全体のセル（固定電力のフェムトセルと可変電力のフェムトセル）に対し、上述したセル境界制御処理（図３参照）を実行する（Ｓ２４）。例えば、フェムト基地局１０の形成するセルＣ１０からＨＯ先指示セルＣ２０以外のセルへのハンドオーバ数（ハンドオーバしない場合を含む）が所定値未満である場合には、集中制御局は、フェムト基地局１０の送信電力を可変値に設定する指示を、フェムト基地局１０に対して行う。
【００４８】
図７は、ＨＯ対象移動局の移動度に応じて、セルＣ１０に対する境界制御方法が調整される様子を示す図である。図７に示す様に、ＨＯ対象移動局の移動度の低いセルＣ１０、Ｃ２０、Ｃ３０では、送信電力値が可変制御されるが、セルＣ１０の移動度が上昇すると、集中制御局は、領域Ｒ２の様に、フェムト基地局１０への指示により、フェムト基地局１０の送信電力値を固定する。換言すれば、端末移動度の低いセルＣ２０、Ｃ３０は、ユーザ分布に応じた最適化が可能であるため、境界制御の対象となるが、端末移動度の高いセルＣ１０は、ユーザ分布に応じた最適化が困難であるため、境界制御の対象外となる。
【００４９】
強制ハンドオーバが実行されない場合、上述した様に、ＨＯ対象移動局の通信状況に基づいてハンドオーバ先セルが決定される。このため、ＨＯ対象移動局の数が多い場合、集中制御局が指示したセル（例えば、ＨＯ先指示セルＣ２０）にハンドオーバしない移動局が増加する。そこで、各フェムト基地局１０、２０、３０が、ＨＯ対象移動局が実際にハンドオーバしたセルを集中制御局に通知する。集中制御局は、通知された実際のハンドオーバ先セルが自局の指示したハンドオーバ先セルと異なるケース（上記条件（１）（２）に相当）の件数をセル単位でカウントする。集中制御局は、該件数を基に、各セルＣ１０、Ｃ２０、Ｃ３０におけるＨＯ対象移動局の平均移動度を推定する。すなわち、上記件数の多いセル程、集中制御局の指示に従わないハンドオーバが行われていることから、ＨＯ対象移動局の移動度が高いとの推測が可能である。反対に、上記件数の少ないセル程、集中制御局の指示通りのハンドオーバが行われていることから、停止しているＨＯ対象移動局の割合が高いとの推測が可能である。
【００５０】
そこで、集中制御局は、各セルＣ１０、Ｃ２０、Ｃ３０でのＨＯ対象移動局の移動度に応じて、セル境界制御における最適化方法を調整する。すなわち、セル境界制御の周期が遅い場合等には、移動度の大きいＨＯ対象移動局数が多いセルでは、フェムト基地局が、瞬時的なユーザ分布の変化に追従しようとすると、ＨＯ対象移動局の通信状況が大きく変化して追従しきれない可能性が高い。その結果、フェムト基地局の送信電力と接続移動局数との間に不整合が生じ、却って、通信品質が劣化してしまうことが懸念される。従って、移動度の大きいセルのフェムト基地局は、上記追従を行うことなく、固定的な送信電力値を設定する。これにより、移動度の大きいセルが、セル境界制御における最適化の対象から除外され、通信品質の劣化が回避される。
【００５１】
なお、固定的な送信電力値としては、例えば、過去の送信電力の平均値（例えば、５〜１０ｍＷ）や最大値（例えば、２０ｍＷ）、あるいは、最大送信電力値（例えば、３０ｍＷ）を用いることができる。
【００５２】
以上説明した様に、フェムト基地局１０は、測定情報収集部１２とＨＯ先セル判定部１４とＨＯ制御部１５とを有する。測定情報収集部１２は、移動局Ｕ１における無線通信品質の測定情報を取得する。ＨＯ先セル判定部１４は、測定情報収集部１２により取得された下り方向の測定情報と、集中制御局から指示されたハンドオーバ先のセルＣ２０の優先度を制御する情報（閾値α）とを用いて、移動局Ｕ１をハンドオーバさせるセルを判定する。ＨＯ制御部１５は、セルＣ１０、Ｃ２０、Ｃ３０の内、ＨＯ先セル判定部１４により判定されたセルへ、移動局Ｕ１をハンドオーバさせる。上記測定情報は、例えば、移動局Ｕ１のハンドオーバ元のセルＣ１０に関する上記測定情報と、上記ハンドオーバ先のセルＣ２０に関する上記測定情報と、上記ハンドオーバ元のセル及び上記ハンドオーバ先のセル以外のセルの内、上記無線通信品質が最も良好なセルＣ３０に関する測定情報とである。
【００５３】
すなわち、本実施例に係るフェムト基地局１０は、従来、集中制御局からのハンドオーバ指示への対応と、ＨＯ対象移動局の通信状況への対応とを両立する仕組みの無い事に鑑み、ハンドオーバ元セルを処理の起点とするハンドオーバを実行する。具体的には、フェムト基地局１０は、ＨＯ対象移動局に対し、最新（ＨＯ直前）の測定情報を報告させた後、集中制御局から指示されたハンドオーバ先セル情報（例えば、ＨＯすべきセルのセルＩＤ）と、上記測定情報とを用いて、ＨＯ対象移動局のハンドオーバ先セルを判定する。これにより、フェムト基地局１０は、集中制御局から指示されたハンドオーバ先が妥当であるか否かを、ＨＯ対象移動局の通信状況を考慮に入れて改めて判断することができる。従って、フェムト基地局１０は、移動等に起因して特性劣化を引き起こす可能性のある不適切なハンドオーバを未然に抑制することが可能となる。その結果、基地局と移動局間の通信品質の低下が抑制される。
【００５４】
なお、上記実施例では、移動局として、スマートフォンを想定して説明したが、本発明は、スマートフォンに限らず、携帯電話、ＰＤＡ（Personal  Digital  Assistant）等、無線通信品質を測定可能な様々な通信機器に対して適用可能である。また、測定情報についても、ＲＳＲＰに限らず、電波強度を表すＲＳＳＩ（Received  Signal  Strength  Indication）値や、ＳＩＮＲ（Signal  to  Interference  and  Noise  Ratio）値、ＲＳＲＱ（Reference  Signal  Received  Quality）値であってもよい。あるいは、ＳＩＲ（Signal  to  Interference  Ratio）、ＣＱＩ（Channel  Quality  Indicator）、ＰＭＩ（Precoding  Matrix  Indicator）、ＲＩ（Rank  Indicator）、ＬＩ（Layer  Indicator）等のＣＳＩ（Channel  State  Information)であってもよい。
【００５５】
更に、フェムト基地局１０の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、閾値α格納部１３と閾値α調整部１６、あるいは、ＨＯ制御部１５とＨＯ先通知部１７を、それぞれ１つの構成要素として統合してもよい。反対に、閾値α調整部１６に関し、実際に閾値αの増減制御を行う部分と、特性改善の有無を判定する部分とに分散してもよい。更に、電力制御部１１に関し、自局の送信電力を、集中制御局から通知された最適値に変更する部分（図３のＳ４）と、ＨＯ先指示セルＣ２０以外のセルへのハンドオーバ数（ハンドオーバしない場合を含む）が所定値以上であるか否かに応じて、自局の送信電力を、固定または変動させる部分（図６のＳ２３、Ｓ２４）とに分散してもよい。また、測定情報や閾値αを保持するメモリを、フェムト基地局１０の外部装置として、ネットワークやケーブル経由で接続する様にしてもよい。
【符号の説明】
【００５６】
１０  フェムト基地局
１０ａ  ＤＳＰ（Digital  Signal  Processor）
１０ｂ  ＦＰＧＡ（Field  Programmable  Gate  Array）
１０ｃ  メモリ
１０ｄ  ＲＦ（Radio  Frequency）部
１０ｅ  ネットワークＩＦ（Inter  Face）部
１１  電力制御部
１２  測定情報収集部
１３  閾値α格納部
１４  ＨＯ（Hand  Over）先セル判定部
１５  ＨＯ制御部
１６  閾値α調整部
１７  ＨＯ先通知部
２０、３０  フェムト基地局
１００、２００、３００、４００、５００  基地局
Ａ  アンテナ
Ｃ１０  ＨＯ元セル
Ｃ２０  ＨＯ先指示セル
Ｃ３０  他セル
Ｃ１００、Ｃ２００、Ｃ３００、Ｃ４００、Ｃ５００  セル
Ｒ１  集中制御局の指示が優先される領域
Ｒ２  送信電力の固定された領域
Ｕ１  ＨＯ対象移動局
Ｕ２  移動局
Ｕ１００、Ｕ２００、Ｕ３００  移動局
Ｙ１、Ｙ２  移動局の移動方向
【図１】
2015139122.tif 000003
【図２】
2015139122.tif 000004
【図３】
2015139122.tif 000005
【図４】
2015139122.tif 000006
【図５】
2015139122.tif 000007
【図６】
2015139122.tif 000008
【図７】
2015139122.tif 000009
【図８】
2015139122.tif 000010
【図９】
2015139122.tif 000011